(57)【要約】【課題】梅雨時や寒冷時には室内や車内の水蒸気が窓や壁などに結露し、カビや細菌の繁殖に繋がるばかりでなく、自動車では窓の曇りは安全確保からも課題となる。また、室内や車内で発生する水蒸気の除去（除湿）には電動の冷凍システムを稼働必要があり、省エネルギーの観点からも解決すべき課題と言える。【解決手段】除湿材（デシカント）を内包する除湿ユニットへ小型ファンにて通気し吸湿を行う除湿装置において、除湿ユニットを天日干しにて容易に再生できる形状とすると共に、除湿ユニットを非導電性材料で製作し、かつその寸法を所定値以下にしたので、家庭用電子レンジにても急速な再生が可能となった。【選択図】図１
2014237115.tif 000002
【特許請求の範囲】
【請求項１】
室内や車内に設置され、当該空間の除湿を行う除湿装置であって、除湿装置は除湿装置本体と除湿ユニットからなり、前記除湿装置本体下部には除湿装置内へ空気を吸引する電動ファンが設置され、前記除湿ユニット内には除湿材が設置され、当該除湿材に担持される吸湿剤は高分子収着剤であって、また除湿材は高分子収着剤を担持した除湿シートを段ボール状に加工したものを積層あるいは巻回した形状であり、当該除湿材の通風面以外をすべて四角形断面あるいは円形断面の筒状ケースにて密閉することで除湿ユニットを形成し、当該除湿ユニットを前記除湿装置本体の上部から除湿ユニットの受け部へ落とし込む方式で、除湿ユニットを除湿装置本体に固定する除湿装置において、除湿ユニットの通風端部と側面部に吊り下げ装置を各１か所以上設置すると共に、除湿ユニットは全て非導電性の素材で構成され、かつその外形寸法は縦１５ｃｍ以内、横１５ｃｍ以内、高さ１９ｃｍ以内の矩形状あるいは、直径１５ｃｍ以内、高さ１９ｃｍ以内の円筒形状であることを特徴とする除湿装置。
【請求項２】
請求項１に記載の除湿装置において、除湿装置本体の上部に設置される受け部の有効深さは３ｃｍ以上であり、除湿ユニットの長手方向の長さよりも短いことを特徴とする除湿装置。
【発明の詳細な説明】
【技術分野】
【０００１】
本発明は、室内や車内の除湿を目的とする除湿装置に関する。
【背景技術】
【０００２】
室内や車内の除湿を目的とする除湿装置は、通常は圧縮式冷凍サイクルを稼働させて、低温伝熱面を形成し、この低温伝熱面に除湿対象の空気を接触させて空気中の水分を液化した後に貯水槽に滴下して分離する方式である。
【０００３】
また、最近では室内や車内の空気を通気性のある除湿材に導き、空気中の水蒸気を除湿材に吸湿させた後に室内へ還流させる方式の除湿装置もある。
【０００４】
前者の方式では、圧縮式冷凍サイクルの駆動に電気を使用することから電力コストが発生する。同様に後者の方式では吸湿後の除湿材を再生するための加熱装置や、再生時の水分を多く含む空気を室外あるいは車外へ排出するダクトが必要になるなど、再生のための電力コストや、装置の大型化などの課題がある。
【先行技術文献】
【特許文献】
【０００５】
【特許文献１】特許第４８０１１９７号
【発明の概要】
【発明が解決しようとする課題】
【０００６】
前記特許文献１記載の電気自動車用防曇・空調システムでは、乗員から発生する水蒸気（不感常泄）をファンなどの通風手段を用いて除湿ユニットへ導き、その内部に設置される除湿材にて除去する構成を採用している。
【０００７】
一方、前記特許文献１には、外部電力等を用いて、搭載される除湿ユニット内の除湿材を再生する技術が記載されている。
【０００８】
本発明の主たる課題は、除湿材の再生に用いられる外部電力等のエネルギーを節約し、また再生時に発生する高湿度空気を室外へ排出するダクトを省略できる除湿装置を提供することである。
【課題を解決するための手段】
【０００９】
本発明によれば、ガラス繊維やセルロース繊維などからなる紙の両面に高分子収着剤を塗布した除湿シートを、ダンボール状とした後にこれを巻回あるいは積層して形成する除湿材の通風面を除く側面をアクリル樹脂、ビニール樹脂、あるいは塩ビ樹脂などにて取り囲み、所定形状とした除湿ユニットを、除湿装置の上方部から除湿装置の受け部へ落とし込む方式で固定する構成とし、さらに除湿ユニットの上部に除湿ユニットの吊り下げ装置を設置している。
【００１０】
また、本発明によれば、除湿装置の下部に電動ファンを設置して、このファンから室内あるいは車内の空気を吸引した後に、吸引された空気を除湿ユニットへ導き、その後、除湿装置の上部から室内あるいは車内へ還流させる構成としている。
【発明の効果】
【００１１】
本発明による除湿装置では、除湿装置本体（１）の下方に設置した電動ファン（２）の稼働により、室内あるいは車内の空気を吸引した後に、除湿ユニット（３）の下部から除湿材（３−１）を通過させた後に、除湿ユニット（３）の上部から室内あるいは車内へ排出される構成である。このため、室内あるいは車内の空気は除湿ユニット（３）を通過する際に、空気中の水蒸気は除湿ユニット（３）内の除湿材（３−１）へ吸湿され、その湿度が低下する。
【００１２】
また、本発明による除湿装置では、室内や車内の空気に含まれる水分を吸湿した除湿ユニット（３）は除湿装置本体（１）の受け部（１−１）に上部から、落とし込む方式で固定されるため、吊り下げ装置（４）を持ち上げることで除湿装置本体（１）から簡単に取り外すことが可能である。
【００１３】
また、取り外した除湿ユニット（３）を吊り下げ装置（４）を使うことで、軒下やベランダなどの物干しなどに簡単に吊り下げることが可能となり、風通しの良い環境で日光に晒すことも可能となる。
【００１４】
このように、除湿ユニット（３）の内部にある除湿材（３−１）の再生を、屋外で日光照射や通風にて簡単に行えるようにしたので、大幅な省エネルギーが達成される。
【００１５】
特に、本発明による除湿装置では、除湿材（３−１）に塗布されている吸湿剤として、シリカゲルやゼオライトなどの鉱物では無い高分子収着剤を使用し、かつ除湿ユニット（３）や吊り下げ装置（４）の構成部材として樹脂などの非導電性材料を用いているので、低温度な環境中でも除湿材の再生速度が速く、かつ電子レンジなどを用いる強制的な再生手段においても発火などの危険性が無い。
【００１６】
また、本発明による除湿装置では、取り外した除湿ユニット（３）をヘアードライヤーなどの温風通風手段にて強制的に加熱再生することが可能となり、急を要する再生要求にも有効である。
【図面の簡単な説明】
【００１７】
【図１】本発明に係る除湿装置の構成図である。除湿装置本体（１）の下部には電動ファン（２）が設置され、除湿装置本体（１）の上方には除湿ユニット（３）が除湿装置本体（１）の受け部（１−１）により固定されている。
【図２】除湿ユニット（３）の構成図である。
【発明を実施するための形態】
【００１８】
以下、本発明の実施の形態について図面を参照しながら詳述する。
【００１９】
図１に示すように、除湿ユニット（３）は除湿装置本体（１）の上部に除湿装置本体の受け部（１−１）により固定されており、この状態で、除湿装置本体（１）の下部に設置されている電動ファン（２）を稼働させる。その結果、室内あるいは車内の空気は電動ファン（２）に吸引され、除湿装置本体（１）下部から流入し、除湿ユニット（３）を通過した後に室内あるいは車内へ還流する。
【００２０】
電動ファン（２）の動作により、除湿ユニット（３）を通過する空気は、除湿ユニット（３）に内蔵される除湿材（３−１）との接触により、水蒸気が除湿材に吸湿されるため、除湿材（３−１）を通過することで絶対湿度が低下する。結果的に、室内あるいは車内の空気中に存在した水蒸気は除湿材（３−１）へ移動する事となり、室内あるいは車内の除湿が進む。
【００２１】
一方、除湿材（３−１）は無尽蔵に水分を吸湿できるわけでは無いため、一定時間の運転後、あるいは除湿ユニット（３）の重量増を検知した後に、除湿ユニット（３）を除湿装置本体（１）から取り外し、除湿ユニット（３）の上部に設置されている吊り下げ装置（４）により、天気の良い日中などのタイミングで、屋外の軒下やベランダなどの物干しに吊り下げて放置する。
【００２２】
このように、本発明による除湿装置では、吸湿剤として高分子収着剤を用い、これを紙などに担持した除湿シートを段ボール状に加工し、これを巻回あるいは積層し図２に示すような形状の除湿材（３−１）ならびに除湿ユニット（３）を形成している。
【００２３】
図２に示す除湿材（３−１）の形状は矩形であるが、段ボールを巻回して円筒形状としても良い。いずれにしても除湿材（３−１）はアクリルあるいは塩ビなどの樹脂材ケース（３−２）の中に固定されており、図１に示すように樹脂材ケース（３−１）は除湿装置本体（１）の受け部（１−１）に上部から差し込まれ、受け部（１−１）下端のストッパー（１−２）にて固定されている。
【００２４】
天日干しにより再生された除湿ユニット（３）は、室内に取り込まれ除湿装置本体（１）の受け部（１−１）にセットされる。このままの状態でも電動ファンの稼働がなければ、除湿材（３−１）は一定時間再生状態を維持するが、長時間にわたり放置する場合は、除湿ユニット（３）を取り外し、図示しない専用の密閉箱（６）に収納することが望ましい。
【００２５】
除湿材（３−１）の再生は、除湿ユニット（３）を電子レンジ内に設置し、数分間の加熱を行うことでも再生可能である。このために、除湿ユニット（３）の外形寸法は縦１５ｃｍ、横１５ｃｍ、高さ１９ｃｍ以内とすることで、市販電子レンジのターンテーブル上に載せて回転が可能な寸法としている。
【００２６】
また、除湿材（３−１）の再生手段として、除湿ユニット（３）の一方の通風面から電気ドライヤーによる温風を噴射しても良い。この場合、４０℃〜５０℃程度の温風が適温である。
【符号の説明】
【００２７】
１・・・除湿装置本体
１−１・・・受け部
１−２・・・ストッパー
３・・・除湿ユニット
３−１・・・除湿材
３−２・・・樹脂材ケース
４・・・吊り下げ装置
５・・・電動ファンのスイッチ
６・・・密閉箱
【図１】
2014237115.tif 000003
【図２】
2014237115.tif 000004